(57)【要約】【課題】通信環境の変化やユーザの都合に応じて自発的に端末能力を選択することを可能にする。【解決手段】通信部は基地局装置と通信を実行し、操作受付部は前記通信部が通信を実行する際の端末能力を変更するための端末能力変更操作を受け付け、端末能力選択部は自装置が利用可能な端末能力を表示部に表示させ、操作入力に応じて前記表示させた端末能力に変更するか否かを選択し、端末能力処理部は前記端末能力選択部が選択した端末能力を前記基地局装置に送信する。【選択図】図２
2014179805.tif 000002
【特許請求の範囲】
【請求項１】
基地局装置と通信を実行する通信部と、
前記通信部が通信を実行する際の端末能力を変更するための端末能力変更操作を受け付ける操作受付部と、
自装置が利用可能な端末能力を表示部に表示させ、操作入力に応じて前記表示させた端末能力に変更するか否かを選択する端末能力選択部と、
前記端末能力選択部が選択した端末能力を前記基地局装置に送信する端末能力処理部と、
を備えることを特徴とする端末装置。
【請求項２】
前記端末能力選択部は、通信を実行する際の端末能力を変更することを要求する端末能力変更要求情報を前記基地局装置から受信し、前記端末能力変更要求情報が示す端末能力を前記表示部に表示させることを特徴とする請求項１に記載の端末装置。
【請求項３】
前記端末能力選択部は、操作入力に応じて前記表示させた端末能力に変更するか否か、前記端末能力変更要求情報が示す端末能力を選択するかを設定することができることを特徴とする請求項２に記載の端末装置。
【請求項４】
前記端末能力選択部は、前記端末能力変更要求情報を受信したとき端末能力を選択することに対する案内表示画像を前記表示部に表示させることを特徴とする請求項２又は３に記載の端末装置。
【請求項５】
端末装置と基地局装置とを備える通信システムであって、
前記端末装置において、
前記基地局装置と通信を実行する通信部と、
前記通信部が通信を実行する際の端末能力を変更するための端末能力変更操作を受け付ける操作受付部と、
前記基地局装置から端末能力の変更を要求することを示す端末能力変更要求情報を受信したとき、自装置が利用可能な端末能力を表示部に表示させ、操作入力に応じて前記表示させた端末能力に変更するか否かを選択する端末能力選択部と、
前記端末能力選択部が選択した端末能力を前記基地局装置に送信する端末能力処理部と、
前記基地局装置において、
前記端末装置と通信を実行する通信部と、
前記端末装置が利用可能な端末能力のいずれかに変更すると判定したとき、前記端末能力変更要求情報を前記端末装置に送信する端末能力変更要求部と、
を備えることを特徴とする通信システム。
【発明の詳細な説明】
【技術分野】
【０００１】
本発明は、端末装置及び通信システムに関する。
【背景技術】
【０００２】
従来、携帯電話機等の端末装置は、通信チャネルの帯域幅、使用する通信チャネル数、アンテナの数、等の通信モードを一定にして、単一の通信モードで通信を行うことしかできなかった。しかしながら、例えば、無線通信システムの通信規格であるＬＴＥ−Ａ（Ｌｏｎｇ  Ｔｅｒｍ  Ｅｖｏｌｕｔｉｏｎ−Ａｄｖａｎｃｅｄ）等の通信方式では、通信チャネルの帯域幅、使用する通信チャネル数、アンテナの数、等が異なる複数の通信モードを併用することが提案されている。そして、ＬＴＥ−Ａ等の通信方式では、端末装置の能力（端末能力）、利用するサービスと、トラフィックの混雑状況等に応じて通信モードを切り替えることが可能である。例えば、非特許文献１には、端末装置が基地局装置に送信する際に用いられる端末能力情報（ＵＥ（Ｕｓｅｒ  Ｅｑｕｉｐｍｅｎｔ）  Ｃａｐａｂｉｌｉｔｙ）について記載されている。ＵＥ  Ｃａｐａｂｉｌｉｔｙは、使用可能な通信方式、周波数帯域等の情報を示す。
【先行技術文献】
【非特許文献】
【０００３】
【非特許文献１】３ＧＰＰ  ＴＳ  ３６．３０６，Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｕｓｅｒ  Ｅｑｕｉｐｍｅｎｔ  （ＵＥ）  ｒａｄｉｏ  ａｃｃｅｓｓ  ｃａｐａｂｉｌｉｔｉｅｓ，３ｒｄ  Ｇｅｎｅｒａｔｉｏｎ  Ｐａｒｔｎｅｒｓｈｉｐ  Ｐｒｏｊｅｃｔ，２０１１年６月２４日，Ｖ１０．２．０
【発明の概要】
【発明が解決しようとする課題】
【０００４】
しかしながら、従来のＬＴＥ−Ａ等の通信方式では、通信モードの設定、切替は、基地局装置が端末能力、利用されているサービス、トラフィックの混雑状況等に応じて基地局装置が一意に決定するものである。このため、通信モードの設定、切替にはユーザの都合が反映されない。また、ユーザが通信方式、例えば、ＬＴＥ、３Ｇ（３ｒｄ  Ｇｅｎｅｒａｔｉｏｎ  Ｍｏｂｉｌｅ  Ｔｅｌｅｃｏｍｍｕｎｉｃａｔｉｏｎ  Ｓｙｓｔｅｍ（Ｗ−ＣＤＭＡ：Ｗｉｄｅｂａｎｄ  Ｃｏｄｅ  Ｄｉｖｉｄｅｄ  Ｍｕｌｔｉｐｌｅ  Ａｃｃｅｓｓともいう）を選択することはできるが、ある選択された通信方式での通信モードを選択することができない。例えば、３Ｇ方式が選択されたとき、ＨＳＰＤＡ（Ｈｉｇｈ−Ｓｐｅｅｄ  Ｄｏｗｎｌｉｎｋ  Ｐａｃｋｅｔ  Ａｃｃｅｓｓ）を利用するか否かを設定できなかった。また、ＬＴＥ−Ａ方式が選択されたとき、ＣＡ（Ｃａｒｒｉｅｒ  Ａｇｇｒｅｇａｔｉｏｎ）を行うか否かを変更することができなかった。その他、消費電力を抑えた省電力モードを選択する方法については提供されていない。
【０００５】
本発明は上記の点に鑑みてなされたものであり、通信環境の変化やユーザの都合に応じて自発的に端末能力を選択することができる端末装置及び通信システムを提供する。
【課題を解決するための手段】
【０００６】
本発明は上記の課題を解決するためになされたものであり、本発明の一態様は、基地局装置と通信を実行する通信部と、前記通信部が通信を実行する際の端末能力を変更するための端末能力変更操作を受け付ける操作受付部と、自装置が利用可能な端末能力を表示部に表示させ、操作入力に応じて前記表示させた端末能力に変更するか否かを選択する端末能力選択部と、前記端末能力選択部が選択した端末能力を前記基地局装置に送信する端末能力処理部と、を備えることを特徴とする端末装置である。
【発明の効果】
【０００７】
本発明によれば、通信環境の変化やユーザの都合に応じて自発的に端末能力を選択することができる。
【図面の簡単な説明】
【０００８】
【図１】本発明の第１の実施形態に係る通信システムを示す概念図である。
【図２】本実施形態に係る基地局装置の構成例を示す概略ブロック図である。
【図３】本実施形態に係る端末装置の構成例を示す概略ブロック図である。
【図４】端末能力選択画像の例を示す図である。
【図５】本実施形態に係る端末能力処理の一例を示すシーケンス図である。
【図６】本実施形態に係る端末能力処理の他の例を示すシーケンス図である。
【図７】本発明の第３の実施形態に係る端末能力処理の一例を示すシーケンス図である。
【発明を実施するための形態】
【０００９】
（第１の実施形態）
以下、図面を参照しながら本発明の実施形態について説明する。
（通信システムの構成例）
図１は、本実施形態に係る通信システム１を示す概念図である。
本実施形態の通信システム１は、基地局装置１０と端末装置２０とを含んで構成される。
基地局装置１０は、端末装置２０とデータ通信を実行する。基地局装置１０はコアネットワーク（図示せず）に接続されている。
端末装置２０は、基地局装置１０を介してコアネットワークに接続し、他の端末装置２０との通信を実行する。端末装置２０は、例えば多機能携帯電話機（スマートフォンを含む）、タブレット端末装置などである。
【００１０】
本実施形態では、基地局装置１０と端末装置２０との間の通信方式として、例えばＬＴＥ−Ａ方式を採用する。ＬＴＥ−Ａ方式では、ＣＡによる通信や、ＭＩＭＯ（Ｍｕｌｔｉｐｌｅ−Ｉｎｐｕｔ ａｎｄ  Ｍｕｌｔｉｐｌｅ−Ｏｕｔｐｕｔ）による最大で８本のアンテナを使用した通信が可能である。
ＣＡは、ＬＴＥ−Ａ方式で使用されるキャリア（搬送波）の周波数帯域を複数使用して通信を実行する技術である。ＬＴＥ方式では、１つのキャリアが最大２０ＭＨｚの帯域幅を有し、例えば３つのキャリアＬＴＥ  Ｉ〜ＩＩＩを使用して合計６０ＭＨｚの帯域により通信を行うことが可能である。また、ＣＡを行う際に使用される複数のキャリアの周波数帯域は互いに連続していてもよいし、離散していてもよい。図１に示すように、ＣＡは、アップリンク、ダウンリンクともに実行されてもよいし、アップリンク又はダウンリンクのいずれかが実行されてもよい。また、例えば、ダウンリンクのみ３つのキャリアが用いられ、アップリンクでは１つのキャリアが用いられてもよい。
【００１１】
例えば、基地局装置１０と端末装置２０とは、当初１つのキャリアＬＴＥ  Ｉのみを用いて通信を行い、基地局装置１０において通信量が所定の通信量よりも多いと判定した場合を考える。基地局装置１０は３つのキャリアＬＴＥ  Ｉ〜ＩＩＩを行うことを示す端末能力変更要求情報（例えば、ＣＡ要求）を端末装置２０に送信し、ＣＡ要求を受信した端末装置２０は、ＣＡ要求を許可するか否かの選択肢を含む端末能力変更選択画像を、例えばポップ画面等で表示する。即ち、端末装置２０では、ユーザの状況、例えば「消費電力が大幅に大きくなる」、「通信量が多くなる」、等に応じてサービス（例えば、ＣＡを行う又は行わない）を選択することができる。例えば、端末装置２０が、ユーザがＣＡを行うことを許可したことを示す操作入力を検出したとき、その旨を示す端末能力変更可否情報を基地局装置１０に送信する。その後、端末能力変更可否情報を受信した基地局装置１０と端末装置２０の間では、３つのキャリアを用いてＣＡが行われる。
【００１２】
また、ＣＡを行わないことが選択されたとき、つまり、ユーザがＣＡを行うことを拒否したことを示す操作入力が検出されたとき、端末装置２０は、その旨を示す端末能力変更可否情報を基地局装置１０に送信する。その後、端末能力変更可否情報を受信した基地局装置１０と端末装置２０の間では、ＣＡが行われず１つのキャリアＬＴＥ  Ｉのみを用いて２０ＭＨｚの帯域幅でデータ通信が行われる。３つのキャリアを用いるよりも通信時における消費電力や通信量を低減できる。ユーザにおいては、例えば、電池の残電力等を考慮して、省電力で使用するための通信モードが選択可能になる。
【００１３】
上述では、ＣＡを行うか否かを例にとって説明したが、本実施形態では、これには限られない。基地局装置１０では、例えば、３Ｇ方式で通信中にＨＳＰＤＡが利用可能になったとき、端末装置においてユーザの状況に応じてＨＳＰＤＡを選択するか否かを設定できる。これによって、従来のようにＨＳＰＤＡを利用可能になったとき、利用可能な端末装置において通信モードがＨＳＰＤＡに切り替えられてしまうという問題が解決される。
その他、端末装置２０では、高速通信が求められる業務用の通信モード、省電力が求められる個人用の通信モード等を切り替えて使用されることがある。本実施形態では、このような使用目的に沿った利用にふさわしいユーザの状況に応じた自発的な選択が可能になる。
【００１４】
以下では、端末能力、つまり、通信を行うために端末装置２０が使用できる機能として主にＣＡの可否を選択、設定する場合を例にとって説明するが、本実施形態ではこれには限られない。基地局装置１０では、対応可能な端末能力が予め定められているが、本実施形態では、例えば、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）の可否、３Ｇの可否、ＬＴＥ−ＴＤＤ（Ｔｉｍｅ  Ｄｉｖｉｓｉｏｎ  Ｄｕｐｌｅｘ）の可否、ＬＴＥ−ＦＤＤ（Ｆｒｅｑｕｅｎｃｙ  Ｄｉｖｉｓｉｏｎ  Ｄｕｐｌｅｘ）の可否、ＭＩＭＯ（Ｍｕｌｔｉｐｌｅ−Ｉｎｐｕｔ  ａｎｄ  Ｍｕｌｔｉｐｌｅ−Ｏｕｔ）の可否、小型基地局装置利用の可否、セキュリティ強度（例えば、所定の暗号化方式への対応の有無）等に適用してもよい。基地局装置１０では、ＧＳＭ（登録商標）、３Ｇ、ＬＴＥ−ＴＤＤ、ＬＴＥ−ＦＤＤの各方式のうち、少なくともいずれか１つの方式を選択する。
また、ＣＡを行う場合において、キャリア数（例えば、２）、帯域（ＢＡＮＤ）情報（例えば、２ＧＨｚ、８００ＭＨｚ）等、より詳細な選択肢が設けられてもよい。また、選択可能な端末装置２０における選択肢として、利用可能な基地局装置（例えば、複数ある場合）、従来のように端末能力の自動切替又はマニュアル切替が選択可能であってもよい。
【００１５】
（基地局装置の構成例）
図２は、本実施形態における基地局装置１０の構成例を示す概略ブロック図である。
基地局装置１０は、通信部１０１及び制御部１０２を含んで構成される。
通信部１０１は、端末装置２０と無線による通信を、例えばＬＴＥ方式を用いて実行する。通信部１０１は、例えばＮ個の第１送信部１１１−１〜第Ｎ送信部１１１−Ｎと、Ｎ個の第１受信部１１２−１〜第Ｎ受信部１１２−Ｎを含んで構成される。なお、以降の説明において、第１送信部１１１−１〜第Ｎ送信部１１１−Ｎを特に区別しない場合には、送信部１１１と記載する。また、第１受信部１１２−１〜第Ｎ受信部１１２−Ｎを特に区別しない場合には受信部１１２と記載する。
【００１６】
第１送信部１１１−１〜第Ｎ送信部１１１−Ｎは、それぞれ異なる周波数帯域(バンド)のキャリアを使用して送信を実行する。第１受信部１１２−１〜第Ｎ受信部１１２−Ｎは、それぞれ異なる周波数帯域のキャリアの受信を実行する。ＣＡを実行する際には、それぞれのキャリアに対応する複数の送信部１１１と受信部１１２が使用される。
なお、第１送信部１１１−１〜第Ｎ送信部１１１−Ｎと第１受信部１１２−１〜第Ｎ受信部１１２−Ｎにおいて共通化可能な部位については共通化してよい。また、送信部１１１または受信部１１２が対応する周波数帯域において複数のキャリアにより送受信を行う場合には、送信部１１１または受信部１１２をキャリアごとに設けてもよい。
【００１７】
制御部１０２は、基地局装置１０において各種の制御を実行する。制御部１０２は、例えばＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などの主記憶装置を備えて構成することができる。
制御部１０２は、例えば、端末能力受信処理部１２１、端末能力変更要求部１２２、端末能力情報記憶部１２３、及びスケジューリング処理部１２４を含んで構成される。
【００１８】
端末能力受信処理部１２１は、端末装置２０から受信した端末能力情報（例えば、ＵＥ  Ｃａｐａｂｉｌｉｔｙ）を送信元の端末装置２０を示す端末情報と対応付けて端末能力情報記憶部１２３に記憶する。ここで、端末能力情報は、送信元の端末装置２０の端末能力を示す情報である。
【００１９】
端末能力変更要求部１２２は、基地局装置１０に接続されているコアネットワーク（図示せず）から受信したシステム情報に基づいて端末装置２０が有する端末能力のうち、少なくともいずれかの端末能力に変更することを要求するか否かを判定する。システム情報には、コアネットワークで用いられる通信方式での無線リソースの使用状況を示す情報、例えば、混雑率、在圏端末率等、が含まれる。端末能力変更要求部１２２は、例えば、システム情報が端末装置２０からの端末能力情報が示す端末能力を用いた方が良好な通信品質が得られるか否かをもって、要求するか否かを判定する。
【００２０】
端末能力変更要求部１２２は、例えば、受信した端末能力情報が示す端末能力がＣＡを行って２つのキャリアを追加するものであるとき、この端末能力を用いて通信品質が向上し、かつ混雑率及び在圏端末率がそれぞれの所定値を超えないとき、要求すると判定する。端末能力変更要求部１２２は、それ以外の場合には、要求しないと判定する。端末能力変更要求部１２２は、端末能力の変更を要求するか否かを判定し、要求する場合には変更しようとする端末能力をさらに示す端末能力変更要求情報を端末装置２０に送信する。
【００２１】
端末能力変更要求部１２２は、端末装置２０から端末能力変更可否情報を受信し、受信した端末能力変更可否情報が端末能力の変更を許可することを示す場合、その端末能力を自装置（基地局装置１０）に設定する。例えば、端末能力変更要求部１２２は、その端末能力を示す端末能力情報と端末装置２０を示す端末情報とを対応付けて端末能力情報記憶部１２３に記憶する。後述するように変更後の端末能力に応じた無線リソースが割り当てられ、その端末能力での端末装置２０との通信が可能になる。その後、端末能力変更要求部１２２は、端末能力の変更が完了したことを示す端末能力変更完了情報を端末装置２０に送信する。
【００２２】
端末能力情報記憶部１２３には、端末能力受信処理部１２１が受信した端末能力情報とその送信元である端末装置２０を示す端末情報と対応付けて記憶される。
スケジューリング処理部１２４は、端末能力情報記憶部１２３に記憶される端末装置２０ごとの端末能力情報に基づいて、例えば端末装置２０毎の無線リソース（無線資源、例えば、キャリアや使用すべきアンテナなど）の割り当てを行う。ここで、スケジューリング処理部１２４は、例えば通信可能なセルの通信品質、全体のトラフィック量、パケット通信と音声通信のいずれの通信であるか、パケット通信の場合におけるデータサイズなどの情報に基づいて無線リソースの割り当てを定める。スケジューリング処理部１２４は、例えば、通信可能なトラフィックの最大値の範囲内で、通信品質が高い端末装置２０音声通信が用いられている端末装置ほど優先して無線リソースを割り当てる。
【００２３】
なお、制御部１０２は、受信データや送信データの処理、通信部１０１における送信部１１１と受信部１１２に対するキャリア周波数の制御などをはじめ、基地局装置１０としての通信に関連する各種の制御を実行する。また、図２の基地局装置１０は、イントラサイト対応のＣＡを行う場合を例示しているが、例えば、インターサイト対応のＣＡを行う構成を備えていてもよい。また、インターサイト対応の構成を備える場合、コアネットワークに接続される各サイトとして、マクロセルだけではなく、例えば、より送信レベルの低いスモールセルやＨｅＮＢ（フェムトセル）などが用いられていてもよい。
また、制御部１０２は、自装置や予め定めた範囲内に所在している他の基地局装置、及びこれらの基地局装置のそれぞれで利用可能な端末能力情報を含む報知情報を端末装置２０に送信してもよい。
【００２４】
（端末装置の構成例）
図３は、本実施形態における端末装置２０の構成例を示す概略ブロック図である。
図３に示す端末装置２０は、通信部２０１、制御部２０２、表示部２０３及び操作受付部２０４を含んで構成される。
通信部２０１は、基地局装置１０と無線で、例えば、ＬＴＥ−Ａ方式を用いて通信を実行する。
通信部２０１は、例えばＮ個の第１送信部２１１−１〜第Ｎ送信部２１１−Ｎと、Ｎ個の第１受信部２１２−１〜第Ｎ受信部２１２−Ｎを含んで構成される。なお、以降の説明において、第１送信部２１１−１〜第Ｎ送信部２１１−Ｎについて特に区別しない場合には、送信部２１１と記載する。また、第１受信部２１２−１〜第Ｎ受信部２１２−Ｎについて特に区別しない場合には受信部２１２と記載する。
【００２５】
第１送信部２１１−１〜第Ｎ送信部２１１−Ｎは、それぞれ異なる周波数帯域(バンド)のキャリアを使用して送信を実行する。第１受信部２１２−１〜第Ｎ受信部２１２−Ｎは、それぞれ異なる周波数帯域のキャリアの受信を実行する。ＣＡを実行する際には、それぞれのキャリアに対応する複数の送信部２１１と受信部２１２が使用される。この周波数帯域は、例えば、各通信方式で規定されている利用可能な周波数帯域（２ＧＨｚ帯：アップリンク１９２０ＭＨｚ−１９８０ＭＨｚ、ダウンリンク２１２０−２１７０ＭＨｚ、８００ＭＨｚ帯：アップリンク８２４ＭＨｚ−８４９ＭＨｚ、ダウンリンク８６９ＭＨｚ−８９４ＭＨｚ）等である。
なお、第１送信部２１１−１〜第Ｎ送信部２１１−Ｎと第１受信部２１２−１〜第Ｎ受信部２１２−Ｎにおいて共通化できる部位については共通化してよい。また、送信部２１１または受信部２１２が対応する周波数帯域において複数のキャリアを用いて送受信を行う場合には、送信部２１１または受信部２１２をキャリアごとに設けてもよい。
【００２６】
制御部２０２は、端末装置２０において各種の制御を実行する。制御部２０２は、例えばＣＰＵ、ＲＡＭなどの主記憶装置と、ＨＤＤ（Ｈａｒｄ  Ｄｉｓｋ  Ｄｒｉｖｅ）などの補助記憶装置を備えて構成することができる。また、本実施形態の制御部２０２は、操作受付部２０４から入力された操作入力信号に応じて、端末能力を変更するための制御を実行することができる。
制御部２０２は、端末能力選択部２２１及び端末能力送信処理部２２２を備える。
【００２７】
端末能力選択部２２１は、基地局装置１０から端末能力変更要求情報を受信したか否かを判定する。
端末能力選択部２２１は、端末能力変更要求情報を受信したとき、受信した端末能力変更要求情報が示す端末能力に変更することを選択させるための端末能力変更選択画像信号を表示部２０３に出力する。これにより、端末能力選択部２２１は、端末能力変更選択画像を表示部２０３に表示させ、ユーザに対しその端末能力に変更するか否かの操作を行うことを促すことができる。
【００２８】
端末能力選択部２２１は、端末能力変更要求情報を受信していない場合には、基地局装置１０から受信した報知情報が示す端末能力情報のうち、自装置が利用できる端末能力情報を抽出する。端末能力選択部２２１は、抽出した端末能力情報が示す端末能力に変更することを選択させるための端末能力変更選択画像信号を表示部２０３に出力する。端末能力選択部２２１は、抽出した端末能力情報のうち現在自装置に設定されている端末能力情報を除いて、端末能力変更選択画像信号を表示部２０３に出力してもよい。
端末能力選択部２２１には、操作受付部２０４が受け付けた端末能力変更操作に応じて端末能力を変更するか否かを示す端末能力変更可否情報が入力され、入力された端末能力変更可否情報を端末能力送信処理部２２２に出力する。
【００２９】
端末能力送信処理部２２２は、端末能力選択部２２１から入力された端末能力変更可否情報を基地局装置１０に送信する。
端末能力送信処理部２２２は、入力された端末能力変更可否情報が端末能力を変更することを示し、基地局装置１０から端末能力変更完了情報を受信したとき、その端末能力を自装置（端末装置２０）に設定する。これにより、その端末能力で基地局装置１０との通信が可能になる。
【００３０】
また、端末能力送信処理部２２２は、自装置（端末装置２０）の端末能力（例えば、３つのキャリアを用いたＣＡが可能）を示す端末能力情報（例えば、ＵＥ  Ｃａｐａｂｉｌｉｔｙ）を基地局装置１０に送信する。端末能力送信処理部２２２が端末能力情報を送信するタイミングは、例えば、通信開始時、基地局装置１０との通信におけるトラフィックが予め定めた通信量の閾値を超えた時点、等である。
【００３１】
なお、制御部２０２には、端末装置２０が利用することができる通信方式で使用する端末能力を示す端末能力情報を予め記憶しておいてもよい。かかる端末能力情報には、例えば、第１端末能力情報と第２端末能力情報がある。第１端末能力情報は、ＣＡを使用しない第１端末能力を示す端末能力情報である。第２端末能力情報は、ＣＡを使用する第１端末能力を示す端末能力情報である。ＣＡを使用したときに用いられるキャリア数は、例えば、２である。また、本実施形態では、第２端末能力情報が示す端末能力を、端末装置２０におけるデフォルト(初期)の設定として予め設定しておいてもよい。つまり、端末装置２０に電源の供給を開始して起動させた場合には、ＣＡを使用する第２端末能力が設定される。なお、端末能力情報として、例えば非特許文献１に記載のＵＥ  Ｃａｐａｂｉｌｉｔｙの情報を用いられてもよい。
【００３２】
表示部２０３は、制御部２０２の制御に応じて入力された画像信号に基づく画像、例えば、端末能力変更選択画像信号に基づく端末能力変更選択画像を表示する。表示部２０３が対応するハードウェアは、例えば液晶ディスプレイデバイスや有機ＥＬ（ｅｌｅｃｔｒｏ  ｌｕｍｉｎｅｓｃｅｎｃｅ）ディスプレイデバイスである。
操作受付部２０４は、ユーザによる操作入力を受け付け、受け付けた操作入力を示す操作入力信号を制御部２０２に出力する。操作受付部２０４は、操作デバイスとして、各種のボタンやキーなどの他、例えば表示部２０３と一体化されたタッチパネルなどを含んでもよい。操作受付部２０４は、端末装置２０の端末能力を選択するための端末能力変更操作を少なくとも受け付ける。操作受付部２０４は、端末能力変更操作の他、端末装置２０に関する各種の操作を受け付ける。
【００３３】
次に、端末能力選択画像の例について説明する。
図４は、端末能力選択画像の例を示す図である。
図４に示す端末能力選択画像は、端末能力としてＣＡを行うか否かを選択することをユーザに促す画像である。図４に示す例では、ＣＡを行う（１．利用する）又はＣＡを行わない（２．利用しない）が選択可能である。なお、端末能力選択画像に表示する選択肢にでは、ＣＡを利用するか否かを直接的に示す語句の代わりに、その特性や効能等、ユーザにとって理解が容易な語句、例えば、高速もしくは低速、通常もしくは省電力等が用いられてもよい。
【００３４】
（処理手順例）
次に、本実施形態に係る端末能力処理に係る処理手順について説明する。
図５は、本実施形態に係る端末能力処理の一例を示すシーケンス図である。
この例は、端末装置２０が起動直後、ＣＡを用いない（ＣＡ不使用、キャリア１使用）ことを示す端末情報が設定され、その後、ＣＡを用いる（ＣＡ使用、キャリア１、２使用）ことを示す端末能力を選択した場合に行われる処理手順である。
【００３５】
（ステップＳ１０１）端末装置２０に電力の供給が開始されることで起動し、セルサーチを行い、基地局装置１０からの受信信号に基づき使用可能なキャリア、例えば、キャリア１、２を検出する。その後、ステップＳ１０２に進む。
（ステップＳ１０２）端末装置２０は、初期の端末能力情報としてＣＡを用いないことを示す端末能力を自装置（端末装置２０）に設定する。その後、ステップＳ１０３に進む。
（ステップＳ１０３）端末装置２０は、自装置の端末能力（例えば、ＣＡが可能）を示す端末能力情報を基地局装置１０に送信する（端末能力情報通知）。その後、ステップＳ１０４に進む。
【００３６】
（ステップＳ１０４）基地局装置１０は、端末装置２０から受信した端末能力情報とその送信元である端末装置２０を示す端末情報と対応付けて記憶する（端末能力情報記憶）。
基地局装置１０は、受信した端末能力情報が示す端末能力に応じた無線リソースを端末装置２０に割り当て、その端末能力を自装置（基地局装置１０）に設定する。これにより、キャリア１を用いて、例えばＬＴＥ方式で基地局装置１０と端末装置２０との間の通信が可能になる。その後、ステップＳ１０５に進む。
（ステップＳ１０５）基地局装置１０は、端末能力の変更が完了したことを示す端末能力変更完了情報を端末装置２０に送信する（端末能力情報通知応答）。その後、ステップＳ１０６に進む。
【００３７】
（ステップＳ１０６）端末装置２０は、基地局装置１０から端末能力変更完了情報を受信した後、初期の端末能力に応じた機能を自装置に設定する。これにより、その端末能力（例えば、キャリア１）で待ち受け状態となる。その後、ステップＳ１０８に進む。
（ステップＳ１０８）端末装置２０は、現在設定されている端末能力とは異なる端末能力に変更することを選択させるための端末能力変更選択画像を表示し、その端末能力に変更するか否かの操作を行うことを促す。端末装置２０は、ユーザによる端末能力変更操作を受け付け、例えば、キャリア１、２によるＣＡを使用することを示す端末能力を選択する。その後、ステップＳ１０９に進む。
（ステップＳ１０９）端末装置２０は、選択した端末能力に変更することを示す端末能力変更可否情報（ＣＡ使用）を端末能力送信処理部２２２に送信する（端末能力情報通知）。その後、ステップＳ１１０に進む。
【００３８】
（ステップＳ１１０）基地局装置１０は、端末装置２０から受信した端末能力情報とその送信元である端末装置２０を示す端末情報と対応付けて記憶する。基地局装置１０は、受信した端末能力情報が示す端末能力に応じた無線リソースを端末装置２０に割り当て、その端末能力を自装置（基地局装置１０）に設定する。その後、ステップＳ１１１に進む。
（ステップＳ１１１）基地局装置１０は、端末能力の変更が完了したことを示す端末能力変更完了情報を端末装置２０に送信する（端末能力情報通知応答）。
これにより、キャリア１、２によるＣＡを用いて、基地局装置１０と端末装置２０との間のデータ通信が可能になる。
【００３９】
図５では、ステップＳ１０８において端末装置２０において自発的にＣＡを行うことが選択された場合を例にとって説明したが、次に、基地局装置１０とのデータ通信中にＣＡを行わないことが選択された場合の例について説明する。
図６は、本実施形態に係る端末能力処理の他の例を示すシーケンス図である。
図６に示す端末能力処理は、図５と同様にステップＳ１０１〜Ｓ１０６を有し、ステップＳ１１８〜Ｓ１１１の代わりにステップＳ１１７〜Ｓ１２０を有する。
この例では、ステップＳ１０６が完了した後、端末装置２０と基地局装置１０とのデータ通信が行われ、ステップＳ１１７に進む。
【００４０】
（ステップＳ１１７）基地局装置１０は、コアネットワークから受信したシステム情報に基づいて端末装置２０が有する端末能力のうち、少なくともいずれかの端末能力（例えば、キャリア１、２によるＣＡを使用）に変更することを要求するか否かを判定する。基地局装置１０は、端末能力の変更を要求すると判定したとき、その旨を示す端末能力変更要求情報を端末装置２０に送信する（端末能力変更要求）。その後、ステップＳ１１８に進む。
【００４１】
（ステップＳ１１８）端末装置２０は、基地局装置１０から受信した端末能力変更要求情報が示す端末能力に変更することを選択させるための端末能力変更選択画像を表示させる。
その端末能力に変更するか否かの操作を行うことを促す。端末装置２０は、ユーザによる端末能力変更操作を受け付け、例えば、キャリア１、２によるＣＡを使用しないことを示す端末能力（ＣＡ不使用）を選択する。その後、ステップＳ１１９に進む。
（ステップＳ１１９）端末装置２０は、選択した端末能力に変更しないことを示す端末能力変更可否情報を端末能力送信処理部２２２に送信する（端末能力情報通知）。基地局装置１０は、従前の端末能力を変更せず、キャリア１のみを用いて、基地局装置１０と端末装置２０との間のデータ通信が継続する。これにより、ユーザの要望に従い、消費電力低減を優先した通信が可能になる。
なお、ステップＳ１１８においてキャリア１、２によるＣＡを使用すること（ＣＡ使用）が選択された場合には、キャリア１、２によるＣＡを使用した通信、つまり、通信速度を優先した通信が可能になる。
【００４２】
このように、本実施形態によれば、基地局装置と通信を実行する通信部が通信を実行する際の端末能力を変更するための端末能力変更操作を受け付け、自装置が利用可能な端末能力を表示部に表示させる。また、本実施形態によれば操作入力に応じて前記表示させた端末能力に変更するか否かを選択し、選択した端末能力を前記基地局装置に送信する。また、本実施形態では選択した端末能力を利用することを要求することを示す端末能力要求情報を基地局装置に送信する。これにより、ユーザは、通信環境の変化やユーザの都合に応じて自発的に端末能力を選択することができる。
【００４３】
（第２の実施形態）
次に本発明の第２の実施形態について説明する。上述の実施形態と同一の構成、処理については、同一の符号を付して説明を援用する。本実施形態に係る通信システム１は、通信システム１（図１）と同様な構成を有する。
但し、端末能力選択部２２１は、端末能力変更要求情報を受信したとき（図６、ステップＳ１１８）、案内表示画像を表示部２０３に表示させ、予め定めた時間（例えば、５秒）が経過した後、端末能力変更選択画像を表示部２０３に表示させてもよい。案内表示画像とは、ユーザに注意を促す画像である。案内表示画像は、例えば、アイコン等の画面部品を一定時間間隔（例えば、０．５秒）で点滅させる画像であってもよいし、端末能力の選択を促す語句を含む画像であってもよい。これにより、ユーザは端末能力の変更が可能な位置にいることに気づき、端末能力の変更に係る操作を行うことが促される。なお、端末能力選択部２２１は、案内表示画像を表示させた後、操作受付部２０４が任意の操作（例えば、タッチセンサ、ボタン入力）を受け付けたことを検出したときに端末能力変更選択画像を表示部２０３に表示させてもよい。
【００４４】
このように、本実施形態によれば、端末能力選択部２２１は、基地局装置１０から端末能力変更要求情報を受信したとき、端末能力を選択することに対しユーザに注意を促す案内表示画像を表示させる。そのため、ユーザは端末能力の変更が可能であることが容易に認識することができ、その変更に係る操作が促される。
【００４５】
（第３の実施形態）
次に本発明の第３の実施形態について説明する。上述の実施形態と同一の構成、処理については、同一の符号を付して説明を援用する。本実施形態に係る通信システム１は、上述した実施形態に係る通信システム１（図１）と同様な構成を有する。
但し、端末能力選択部２２１は、マニュアル切替又は自動切替をユーザに選択させるための端末能力変更選択画像を表示部２０３に表示させることができる。マニュアル切替又は自動切替の選択（自動・マニュアル設定）は、任意のタイミング、例えば、図７のステップＳ１２０に示すように通信が行われる前に行うことができる。
【００４６】
図７は、本実施形態に係る端末能力処理の一例を示すシーケンス図である。
ステップＳ１２０において、マニュアル切替が選択された場合には、ステップＳ１１７〜Ｓ１１９の処理が行われる。即ち、基地局装置１０から端末能力変更要求情報を受信したとき、端末能力選択部２２１は、ユーザの操作入力に応じて端末能力を選択して、その端末能力に切り替えることである。また、端末能力をユーザが通信開始等のタイミングで都度切り替えることができる。これに対し、自動切替とは、操作入力を受け付けなくとも端末能力選択部２２１が基地局装置から受信した端末能力変更要求情報が示す端末能力を選択することである。
これらの設定が、端末装置２０が法人用（業務用）、個人用（私用）等、場面に応じて使い分けられる場合には、場面ごとの設定、例えば、法人用の設定、個人用の設定にそれぞれ自動切替の設定、マニュアル切替の設定、が含められてもよい。
【００４７】
このように、本実施形態によれば、端末能力選択部２２１は、基地局装置から受信した端末能力変更要求情報が示す端末能力の変更の可否を操作入力に応じて選択するか否かを設定することができる。これにより、ユーザが、自己の意思に基づいて使用する場面に応じて端末能力の変更を都度選択するか否かを設定することができる。
【００４８】
なお、上述した実施形態において、端末能力選択部２２１は、表示部２０３に表示させる端末能力選択画像として、図４に示したテキストを主にしたテキストベースの画像を用いてもよいし、ポップアップ画面を用いてもよい。また、端末能力選択画像として、アイコン等の画面部品が用いられてもよいし、端末能力選択部２２１は、その画面部品を一定時間間隔で点滅させてもよい。
端末能力送信処理部２２２は、基地局装置１０から端末能力変更完了情報を受信したとき、その端末能力を自装置に設定したとき、その端末能力を示す端末能力表示画像をアイコン等の画面部品で表示部２０３に表示させてもよい。
端末能力送信処理部２２２は、端末能力情報とその端末能力を使用するサービスに係る付加情報を対応付けて予め記憶しておき、端末能力選択画像に、端末能力とその端末能力に対応する付加情報を表示してもよい。そのような付加情報には、例えば、利用可能日時、地域、料金等がある。
【００４９】
上述した実施形態は、次の態様でも実施することができる。
（１）基地局装置と通信を実行する通信部と、前記通信部が通信を実行する際の端末能力を変更するための端末能力変更操作を受け付ける操作受付部と、自装置が利用可能な端末能力を表示部に表示させ、操作入力に応じて前記表示させた端末能力に変更するか否かを選択する端末能力選択部と、前記端末能力選択部が選択した端末能力を前記基地局装置に送信する端末能力処理部と、を備えることを特徴とする端末装置。
【００５０】
（２）前記端末能力選択部は、通信を実行する際の端末能力を変更することを要求する端末能力変更要求情報を前記基地局装置から受信し、前記端末能力変更要求情報が示す端末能力を前記表示部に表示させることを特徴とする（１）の端末装置。
【００５１】
（３）前記端末能力選択部は、操作入力に応じて前記表示させた端末能力に変更するか否か、前記端末能力変更要求情報が示す端末能力を選択するかを設定することができることを特徴とする（２）の端末装置。
【００５２】
（４）前記端末能力選択部は、前記端末能力変更要求情報を受信したとき端末能力を選択することに対する案内表示画像を前記表示部に表示させることを特徴とする（２）又は（３）の端末装置。
【００５３】
（５）端末装置と基地局装置とを備える通信システムであって、前記端末装置において、前記基地局装置と通信を実行する通信部と、前記基地局装置から端末能力の変更を要求することを示す端末能力変更要求情報を受信したとき、前記通信部が通信を実行する際の端末能力を変更するための端末能力変更操作を受け付ける操作受付部と、自装置が利用可能な端末能力を表示部に表示させ、操作入力に応じて前記表示させた端末能力に変更するか否かを選択する端末能力選択部と、前記端末能力選択部が選択した端末能力を前記基地局装置に送信する端末能力処理部と、前記基地局装置において、前記端末装置と通信を実行する通信部と、前記端末装置が利用可能な端末能力のいずれかに変更すると判定したとき、前記端末能力変更要求情報を前記端末装置に送信する端末能力変更要求部と、を備えることを特徴とする通信システム。
【００５４】
（６）端末装置における通信方法であって、基地局装置と通信を実行する通信部が通信を実行する際の端末能力を変更するための端末能力変更操作を受け付ける操作受付過程と、自装置が利用可能な端末能力を表示部に表示させ、操作入力に応じて前記表示させた端末能力に変更するか否かを選択する端末能力選択過程と、前記端末能力選択過程で選択した端末能力を前記基地局装置に送信する端末能力処理過程と、を有することを特徴とする通信方法。
【００５５】
上述した（１）、（５）又は（６）によれば、これにより、ユーザは、通信環境の変化やユーザの都合に応じて自発的に端末能力を選択することができる。
上述した（２）によれば、端末能力の変更が促されることで通信環境の変化を把握し、ユーザの都合に応じて自発的に端末能力を選択することができる。
上述した（３）によれば、ユーザの都合に応じて端末能力を都度選択するか、基地局装置が定めた端末能力を用いるかを設定することができる。
上述した（４）によれば、ユーザは端末能力の変更が要求されていることを容易に認識することができる。
【００５６】
基地局装置１０、端末装置２０の一部、例えば、制御部１０２、２０２は、コンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
また、上述した実施形態における基地局装置１０、端末装置２０の一部、または全部を、ＬＳＩ（Ｌａｒｇｅ  Ｓｃａｌｅ  Ｉｎｔｅｇｒａｔｉｏｎ）等の集積回路として実現してもよい。基地局装置１０、端末装置２０の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００５７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５８】
１…通信システム、１０…基地局装置、１０１…通信部、
１１１（１１１−１〜１１１−Ｎ）…送信部、
１１２（１１２−１〜１１２−Ｎ）…受信部、
１０２…制御部、１２１…端末能力受信処理部、１２２…端末能力変更要求部、
１２３…端末能力情報記憶部、１２４…スケジューリング処理部、
２０…端末装置、２０１…通信部、
２１１（２１１−１〜２１１−Ｎ）…送信部、
２１２（２１２−１〜２１２−Ｎ）…受信部、
２０２…制御部、２２１…端末能力選択部、２２２…端末能力送信処理部
【図１】
2014179805.tif 000003
【図２】
2014179805.tif 000004
【図３】
2014179805.tif 000005
【図４】
2014179805.tif 000006
【図５】
2014179805.tif 000007
【図６】
2014179805.tif 000008
【図７】
2014179805.tif 000009